(57)【要約】      （修正有）【課題】首に装着する際に任意の径の環状に調節可能で、洗濯が容易であるスカーフを提供する。【解決手段】このスカーフは、第１布地１２と第２布地１３とが縫合されて構成される。第１布地１２と第２布地１３とは、一枚の布から成る。第１布地１２と第２布地１３とは、左右対称に折りまげられて、所定部位３１、縁部３１及び縁部３２にて縫合されている。これにより、ポケット１９が形成されている。第２布地１３には切込部１５が設けられている。この切込部１５は、ポケット１９の開口部１７を形成する。この開口部１７を通じて発熱材等が挿抜される。スカーフは、留め具を有し、使用者の首に環状に巻き付けられる。スカーフの径は留め具によって自在に調整される。【選択図】図５
0003155487.tif 000002
【実用新案登録請求の範囲】
【請求項１】
帯状の第１布地と、
上記第１布地の少なくとも中央部に、当該第１布地との間に発熱材又は冷却材を収容し得るポケットを形成するように重ね合わされた第２布地と、
上記第１布地が任意の径の環状に形態変化できるように当該第１布地を束ねる留め具と、を具備するスカーフ。
【請求項２】
上記第１布地と上記第２布地は一枚の布を左右対称に折りまげて形成されており、当該第２布地の一部に上記ポケットの開口部を形成する切込部が設けられている請求項１に記載のスカーフ。
【請求項３】
上記留め具は、環状部材である請求項１又は２に記載のスカーフ。
【請求項４】
上記留め具は、フェノール樹脂、エポキシ樹脂、メラミン樹脂、ウレア樹脂、ポリエチレン、ポリプロピレン、ポリ塩化ビニル、アクリロニトリルブタジエンスチレン共重合体、アクリロニトリルスチレン共重合体 、ポリ塩化ビニリデン、ポリスチレン、アクリル樹脂、スチール、アルミニウムまたは真鍮からなる請求項１から３のいずれかに記載のスカーフ。
【請求項５】
上記第１布地及び上記第２布地は、不織布である請求項１から４のいずれかに記載のスカーフ。
【請求項６】
上記ポケットの開口部を開閉するファスナーが設けられている請求項１から５のいずれかに記載のスカーフ。
【考案の詳細な説明】
【技術分野】
【０００１】
本考案は首に装着して使用し、発熱材又は冷却材を挿入可能なポケットを有するスカーフに関する。
【背景技術】
【０００２】
私達は、首筋の体感温度を調節するために、様々な対応策を採る。夏場の暑さ対策として、直射日光を遮り汗を吸収するスカーフ、バンダナ、タオルまたは手拭い等を首の周りに巻き付けたり、濡れたタオル等を首に巻いて直接首を冷却すること等が挙げられる。但し、濡れたタオルは見た目が悪く、また着衣を濡らす。この不都合が解消されるため、例えば、吸水性ポリマーが充填された保冷材を内側に収納する首周り用着装具が提案されている（例えば、特許文献１）。
【０００３】
冬場の寒さ対策として、私達は首筋の保温のために襟巻やスカーフなどを使用する。この対策は、積極的に暖を与えない。この不都合を解消するため、例えば、首筋カバーに磁石又は遠赤外線を放射する布を付設して、磁力又は遠赤外線の放射により血流が促進され体温が上昇する首筋・胸元保温着が提案されている（例えば、特許文献２）。
【先行技術文献】
【特許文献】
【０００４】
【特許文献１】実用新案登録番号第３１４８４２１号公報
【特許文献２】実用新案登録番号第３０３２９３４号公報
【考案の概要】
【考案が解決しようとする課題】
【０００５】
特許文献２に係る提案では、磁石等の素材が首筋カバーに付設されているため、洗濯し難いといった問題がある。特許文献１に係る提案では、首周り用着装具は保冷材等が取り外し可能であるが、留め具が当該首周り用着装具上に固定されているため、環状部分の大きさやスカーフの先端の環状部分以外の部分の長さは一定である。使用者は、環状部分の大きさやスカーフの先端における環状部分以外の部分の長さを調節することができない。このため、使用者は首へのスカーフの装着を自在にアレンジし難いといった問題を抱える。
【０００６】
そこで、本考案は、上記事情に鑑みてなされたものであり、その目的とするところは、
首への装着を自在にアレンジすることができ、洗濯が容易であるスカーフを提供することにある。
【課題を解決するための手段】
【０００７】
（１）本考案に係るスカーフは、帯状の第１布地と、上記第１布地の少なくとも中央部に、当該第１布地との間に発熱材又は冷却材を収容し得るポケットを形成するように重ね合わされた第２布地と、上記第１布地が任意の径の環状に形態変化できるように当該第１布地を束ねる留め具と、を具備する。
【０００８】
本考案に係るスカーフは、上記ポケットを備えるため、使用者は、発熱材又は冷却材を出し入れ可能である。さらに、使用者は首にスカーフを装着する際に、留め具を用いて第１布地を束ねる。従って、使用者が第１布地の所望の位置を束ねることにより、使用者の意思によって、スカーフの環状部分の大きさや、環状部分以外の長さが調節される。すなわち、使用者はスカーフを装着する形状を自在にアレンジできる。
【０００９】
（２）上記第１布地と上記第２布地は一枚の布を左右対称に折りまげて形成されており、当該第２布地の一部に上記ポケットの開口部を形成する切込部が設けられていてもよい。
【００１０】
上記第１布地と上記第２布地が一枚の布から形成されている。このため、当該布が左右対称に折りまげて重ね合わされる（典型的には縫い合わされる）際に、既に一辺はつながっている。上記第１布地と上記第２布地とが重ね合わされる工程（典型的には縫い合わされる工程）が短縮される。また、一辺はつながっているため、破れにくく耐久性が向上する。
【００１１】
（３）上記留め具は、環状部材であることが好ましい。
【００１２】
上記留め具は、環状部材であるため、ピンや針等により第１布地を留める場合に比べて、安全性が向上する。環状部材は、例えば円や多角形、楕円の形状が採用される。環状部材は、環が閉じている形状であればよく、特に限定はされない。また、上記第１布地を留めることが可能である剛性が保てるものであるならば、留め具は、環状の一部が開環しているものも含む。
【００１３】
（４）上記留め具は、フェノール樹脂、エポキシ樹脂、メラミン樹脂、ウレア樹脂、ポリエチレン、ポリプロピレン、ポリ塩化ビニル、アクリロニトリルブタジエンスチレン共重合体、アクリロニトリルスチレン共重合体 、ポリ塩化ビニリデン、ポリスチレン、アクリル樹脂、スチール、アルミニウムまたは真鍮からなることが好ましい。
【００１４】
上記留め具は、上記第１布地に対して適度に滑りやすい。このため、第１布地が留め具によって完全に固定されることが防がれる。留め具は、所定の力が掛けられた場合、第１布地を挿通した状態を保ちながら移動可能であり、第１布地から外れることも可能である。
【００１５】
（５）上記第１布地及び上記第２布地は、不織布であることが好ましい。
【００１６】
上記第１布地及び上記第２布地が不織布からなるため、多方向に対する引っ張りに対して破れにくい。不織布は様々な用途に応じたものがあるが、特に本考案においては、防水加工されたものや、防汚加工されたものが好ましい。冷却材が上記ポケット内に収納される場合、スカーフの布地に防水加工が施されていれば、冷却材の周りに結露した水が首に付くことが防止される。また、第１布地及び上記第２布地が肌と直接接触するため、防汚加工が施されていれば、汗等の汚れが吸着することが防止される。
【００１７】
また、上記第１布地及び上記第２布地は、不織布以外の布も使用可能である。例えば、綿、絹、麻等を素材とする布等が挙げられるが、これに限定されない。
【００１８】
（６）上記ポケットの開口部を開閉するファスナーが設けられているものであってもよい。
【００１９】
この構成では、ポケットの開口部が開閉され、閉じた状態が保持される。ファスナーは、例えば、ボタン、スナップ、面ファスナー等が挙げられる。スナップは、スタッドとソケットとからなり、これらの部材が係合するものである。面ファスナーは、フックテープと、ループテープとからなる。これらのファスナーによって、ポケットの開口部が閉じられる。このため、ポケットの中に収容された発熱材又は冷却材が外部に出ることが防止される。
【考案の効果】
【００２０】
本考案のスカーフは、上記第１布地が任意の径の環状に形態変化できるので、使用者は装着をアレンジすることができる。また、留め具が取り外せるためこのスカーフは、容易に洗濯される。
【図面の簡単な説明】
【００２１】
【図１】図１は、本考案の一実施形態に係るスカーフ１０の使用形態を模式的に示す正面図である。
【図２】図２は、本考案の一実施形態に係る帯部１１の正面図である。
【図３】図３は、本考案の一実施形態に係る帯部１１の背面図である。
【図４】図４は、本考案の一実施形態に係る帯部１１の展開図である。
【図５】図５は、本考案の一実施形態に係る帯部１１の開口部１７の構成を示す部分拡大図である。
【図６】図６は、本考案の一実施形態に係る帯部１１の開口部１７へ発熱材４０が挿入される際の様子を示す斜視図である。
【図７】図７は、本考案の一実施形態に係る留め具２０の平面図である。
【図８】図８は、本考案の一実施形態に係る留め具２０の正面図である。
【図９】図９は、本考案の一実施形態に係る留め具２０の斜視図である。
【図１０】図１０は、本考案の変形例１に係る帯部６１の展開図である。
【図１１】図１１は、本考案の変形例１に係る帯部６１の正面図である。
【図１２】図１２は、本考案の変形例２に係る帯部７１を使用したスカーフ７０の使用形態を模式的に示す正面図である。
【考案を実施するための形態】
【００２２】
以下、適宜図面が参照されて、本考案の好ましい実施形態が説明される。なお、以下に示される各実施形態は、本考案の一実施形態にすぎず、本考案の要旨を変更しない範囲で適宜変更され得ることは言うまでもない。
【００２３】
［スカーフの概略］
図１は、本考案の一実施形態に係るスカーフ１０の使用形態を模式的に示す正面図である。二点鎖線は、人の首から肩を表す。
【００２４】
このスカーフ１０は、首に装着して使用されるものである。スカーフ１０は、帯状の帯部１１及び留め具２０を具備する。具体的には、図１が示すように、スカーフ１０は、帯部１１の両端部１４が留め具２０に通されて固定されている。帯部１１の両端部１４が束ねられるため、帯部１１は環状に形成される。帯部１１の中央部における縁部３２から縁部３３の間が袋部１６である。袋部１６は、ポケット１９を有する。ポケット１９は、発熱材４０又は冷却材４１を収容し得る。ポケット１９は開口部１７を有し、使用者は開口部１７を通じてポケット１９から発熱材４０又は冷却材４１を出し入れすることができる。
【００２５】
本実施形態に係るスカーフ１０の特徴とするところは、図１が示すような留め具２０を備えており、留め具２０が着脱可能である点である。留め具２０と帯部１１が別に構成されている。使用者は留め具２０によって帯部１１の任意の位置を束ねることができる。このため、使用者は簡単に帯部１１における環状部分の大きさや、環状部分以外の長さを調節することができる。その結果、使用者はスカーフ１０の装着をアレンジすることができる。
【００２６】
［帯部］
図２は本考案の一実施形態に係る帯部１１の正面図であり、図３は本考案の一実施形態に係る帯部１１の背面図であり、図４は本考案の一実施形態に係る帯部１１の展開図である。帯部１１は、第１布地１２及び第２布地１３から成る。第１布地１２及び第２布地１３は境界部１８に対して上下対称（すなわち、左右対称）に形成されている。第２布地１３は、切込部１５を有する。図４が示すように、境界部１８より上側が第１布地１２であり、下側が第２布地１３である。なお、境界部１８は、第１布地１２と第２布地１３の境界線を形成している。このため、帯部１１を折り曲げた時に、境界部１８は折り目となる。
【００２７】
第１布地１２及び第２布地１３の両端部１４は、それぞれの両端に向かって漸次細くなっている。帯部１１がかかる形状を備えることにより、帯部１１は留め具２０に挿通し易くなる。図２及び図４が示すように、切込部１５は第２布地１３の長手方向の中央より端部側に設けられている。切込部１５は、長手方向に垂直な方向に沿って第１布地１２と第２布地１３との境界部１８から第２布地１３の縁部３５まで切り込まれている。
【００２８】
帯部１１は、境界部１８で折り返され、第１布地１２及び第２布地１３が縫合される。
図２及び図３が示すように、第１布地１２及び第２布地１３は、所定部位３１、３２及び３３で縫い合わされる。所定部位３１は、帯部１１の縁部３５に沿う部位である。また、所定部位３１は、帯部１１の一端３６から他端３７まで延びる。所定部位３１で縫い合わされることにより、第１布地１２及び第２布地１３が重ね合わされる。
【００２９】
所定部位３２は、前記縁部３２である。図３が示すように、縁部３２は、切込部１５の縁に隣接して当該切込部１５より一端３６側の部位である。以下、所定部位３２は、縁部３２と示される。縁部３２は、長手方向に垂直な方向に沿って縁部３５から境界部１８まで延びる。縁部３２で縫合されることにより、一端３６側の部分が閉じられる。すなわち、縁部３２から一端３６側の第１布地１２及び第２布地１３は、重ね合わされ全ての辺が縫い合わされる。
【００３０】
所定部位３３は、前記縁部３３である。縁部３３は、図３が示すように帯部１１の中心より他端３７側の部位である。以下、所定部位３３は、縁部３３と示される。縁部３３は、長手方向に垂直な方向に沿って縁部３５から境界部１８まで延びる。縁部３３で縫合されることにより、第１布地１２及び第２布地１３は、上記袋部１６を構成する。縁部３３から他端３７側の第１布地１２及び第２布地１３は、重ね合わされ全ての辺が縫い合わされる。袋部１６は、切込部１５を有するポケット１９を構成する。図５が示すように、切込部１５はポケット１９の開口部１７を形成する。
【００３１】
第１布地１２及び第２布地１３は不織布から成る。不織布が防水加工及び防汚加工されたものである場合、第１布地１２及び第２布地１３は、冷却材の周りに結露した水が浸透されず、また身体から発生した汗等の汚れが吸着されにくい。
【００３２】
［ポケット］
図６が示すように、ポケット１９は開口部１７を有する。図示されるように発熱材４０又は冷却材４１は、ポケット１９から開口部１７を通じて出し入れされる。また、開口部１７の近傍に、図５に示されているようにファスナー４５及びファスナー４６が設けられている。ファスナーとしてフックテープ及びループテープが採用されている。ファスナー４５及びファスナー４６のいずれか一方がフックテープであり、他方がループテープである。ファスナー４５とファスナー４６とは、対向して設けられている。ファスナー４５及びファスナー４６は互いに脱着可能であるため、開口部１７は開閉が可能となる。
【００３３】
［発熱材又は冷却材］
本考案で使用される発熱材４０は例えば、酢酸ナトリウム又は砂鉄を利用した懐炉や、保温性のあるジェルをポリエステル等の袋に充填したもの等が挙げられる。また保冷材４１としては、保冷性のあるジェルをポリエステル等の袋に充填したもの等が使用可能である。保冷剤のジェルは、例えばポリアクリル酸ナトリウムを原料とするもの等が挙げられる。
【００３４】
［留め具］
図７は、本考案の一実施形態に係る留め具２０の平面図であり、図８は、本考案の一実施形態に係る留め具２０の正面図であり、図９は、本考案の一実施形態に係る留め具２０の斜視図である。留め具２０は環状の部材であり、例えばポリエチレンから成る。留め具２０は三角形状に成形されており、例えば射出成型により構成される。なお、留め具の環状形状は三角形に限定されるものではなく、多角形や円であってもよい。留め具２０の内径は、所定の寸法である。したがって、両端部１４が押圧挿入され、帯部１１が環状に形成される。留め具２０は、所定の力で引っ張られない限り両端部１４に止まる。
【００３５】
［スカーフの作用効果］
このスカーフ１０は、図１が示すように首に装着される。装着前に図６が示すように発熱材４０又は保冷材４１が、ポケット１９に挿入され、ファスナー４５及びファスナー４６が、ポケット１９の開口部１７を閉じる。このため、発熱材４０又は保冷材４１はポケット１９から飛び出ることが防げる。使用者は、発熱材４０又は保冷材４１が収容されたポケット１９が身体に接するように首へ掛ける。すなわち、第２布地１３側が内側になるように首に掛けられる。ポケット１９を通して、発熱材４０の熱が使用者の首へ伝わり、使用者の首の熱が保冷材４１へ伝わる。首へ掛けた帯部１１の両端部１４は、留め具２０に滑らせ挿通されて束ねられる。使用者は、留め具２０の位置を図の上下方向へ移動させて帯部１１の環状部分の大きさを調節できる。すなわち、帯部１１の両端部１４において、先端から留め具２０の位置までの長さが調節される。
【００３６】
留め具２０は、帯部１１の環状形状を保持する。また、留め具２０を滑らせ移動することにより、両端部１４の先端（すなわち、一端３６，他端３７）から留め具２０の位置までの長さが調節される。このため、スカーフ１０の装着の様態は、様々なバリエーションを生じる。温度や服装等に合わせて使用者は、両端部１４の先端から留め具２０の位置までの長さや両端部１４の向き等を自在に変化させることができる。また、発熱材４０又は保冷材４１は、帯部１１内から取り出されるため、スカーフ１０は容易に洗濯可能である。
【００３７】
［変形例１］
図１０は、本実施形態の変形例１に係る帯部６１の展開図であり、図１１は、本実施形態の変形例１に係る帯部６１の正面図である。
【００３８】
図１０が示すように、変形例１の特徴は、帯部６１における第１布地１２と第２布地１３の大きさが異なることである。なお、その他の構成は、上記帯部１１と同様である。
【００３９】
帯部６１において、第２布地６３は、 袋部１６の領域のみを覆う大きさである。第２布地６３の一辺は、切込部１５を構成する。
【００４０】
第１布地１２及び第２布地６３は、所定部位６６で縫合される。所定部位６６は、第２布地６３の縁部３５に沿う部位である。これにより、第１布地１２及び第２布地６３は、重ね合わせられる。さらに、第１布地１２及び第２布地６３は、縁部３３で縫合される。これにより、図１１が示すように縁２９が閉じられて、袋部１６が形成される。袋部１６はポケット１９を形成する。切込部１５はポケット１９の開口部１７を形成する。
【００４１】
変形例１に係る帯部６１も、上記実施形態に係る帯部１１と同様の作用効果を奏する。
帯部６１の両端部１４は、第１布地１２が１枚で構成されている。すなわち、両端部１４は第１布地１２のみで構成されている。このため、第１布地１２が厚手の嵩張る布地である場合に利用し易くなる。また、帯部６１は帯部１１と比べて面積の布地から構成可能である。このため、帯部６１に掛かる原料のコストが押さえられる。
【００４２】
［変形例２］
図１２は、本考案の変形例２に係る帯部７１を使用したスカーフ７０の使用形態を模式的に示す正面図である。二点鎖線は、人の首から肩を表す。
【００４３】
図１２が示すように、変形例２の特徴は、帯部７１において切込部７５が第２布地７３の長手方向に平行に設けられていることである。この切込部７５は、境界部１８（図４参照）の近傍に設けられている。なお、その他の構成は、上記実施形態に係るスカーフ１０と同様である。
【００４４】
第１布地１２及び第２布地７３は、上記実施形態と同様に所定部位３１、縁部８２及び縁部８３において縫合される。縁部８２は、図１２が示すように帯部７１の中心より一端３６側の部位である。また、縁部８３は、図１２が示すように帯部７１の中心より他端３７側の部位である。これにより、第１布地１２及び第２布地７３は、図１２が示すように重ね合わせられ、袋部７６が形成される。袋部７６はポケット７９を形成する。切込部７５はポケット７９の開口部７７を形成する。
【００４５】
変形例２に係るスカーフ７０も、上記実施形態に係るスカーフ１０と同様の作用効果を奏する。切込部７５は、上記実施形態に係るスカーフ１０の切込部１５に比べて、長く形成することが可能である。このため、発熱材４０又は保冷材４１の挿抜がより容易となる。
【００４６】
なお、開口部７７の近傍に、ファスナー８５及びファスナー８６が設けられていてもよい。ファスナー８５及びファスナー８６は上記実施形態に係るスカーフ１０のファスナー４５及びファスナー４６と同様である。ファスナー８５及びファスナー８６が、ポケット１９の開口部７７を閉じる。
【符号の説明】
【００４７】
１０・・・スカーフ
１１・・・帯部
１２・・・第１布地
１３・・・第２布地
１４・・・両端部
１５・・・切込部
１６・・・袋部
１７・・・開口部
１８・・・境界部
１９・・・ポケット
２０・・・留め具
４０・・・発熱材
４１・・・保冷材
４５，４６・・・ファスナー
６１・・・帯部
６３・・・第２布地
７１・・・帯部
１３・・・第２布地
７５・・・切込部
７６・・・袋部
７７・・・開口部
７９・・・ポケット
８５，８６・・・ファスナー
【図１】
0003155487.tif 000003
【図２】
0003155487.tif 000004
【図３】
0003155487.tif 000005
【図４】
0003155487.tif 000006
【図５】
0003155487.tif 000007
【図６】
0003155487.tif 000008
【図７】
0003155487.tif 000009
【図８】
0003155487.tif 000010
【図９】
0003155487.tif 000011
【図１０】
0003155487.tif 000012
【図１１】
0003155487.tif 000013
【図１２】
0003155487.tif 000014